(57)【要約】【課題】リングスクリューに対してリングスクリューの軸に沿って引っ張る方向に張力がかかった場合でも、リングスクリューが抜けないように補強することを実現したリングスクリュー補強金具を提供する。【解決手段】木材部２００にねじ込まれたリングスクリュー１００の一部に係合させて木材部２００に木ねじ５０によって固定され、リングスクリュー１００が木材部２００から抜けないように補強するリングスクリュー補強金具１であって、リングスクリュー１００を挿入できる切欠部１２ａを有する円板型の板状部材１０を備え、板状部材１０には、木ねじ５０が挿入される複数のビス穴２０ａが、板状部材１０の中心に対して周方向に均等の位置に形成され、ビス穴２０ａは、木材部２００にねじ込まれたリングスクリュー１００の軸方向に対して、所定の角度を有する方向へ傾斜している。【選択図】図４
2014212600.tif 000002
【特許請求の範囲】
【請求項１】
木材にねじ込まれたリングスクリューの一部に係合させて前記木材に木ねじによって固定され、前記リングスクリューが前記木材から抜けないように補強するリングスクリュー補強金具であって、
前記リングスクリューを挿入できる切り欠きを有する円板型の板状部材を備え、
当該板状部材には、前記木ねじが挿入される複数のビス穴が、板状部材の中心に対して周方向に均等の位置に形成され、
前記ビス穴は、前記木材にねじ込まれた前記リングスクリューの軸方向に対して、所定の角度を有する方向へ傾斜することを特徴とするリングスクリュー補強金具。
【請求項２】
前記ビス穴は、前記板状部材を前記木材に対向する側から視認した場合に、前記板状部材の中心を向くように形成されていることを特徴とする請求項１記載のリングスクリュー補強金具。
【請求項３】
前記ビス穴の傾斜角は、５５度以上６５度以下であることを特徴とする請求項１又は２記載のリングスクリュー補強金具。
【請求項４】
前記ビス穴は、前記板状部材から立設する筒状部によって形成されることを特徴とする請求項１乃至３のいずれか１項記載のリングスクリュー補強金具。
【発明の詳細な説明】
【技術分野】
【０００１】
本発明は、リングスクリューとともに用いられ、リングスクリューが取付場所から抜けないように補強するリングスクリュー補強金具に関する。
【背景技術】
【０００２】
従来、配電線から引き出された低圧引込線（以下、単に引込線と称する）を家屋側に敷設する際には、図８に示すように、家屋の木材部２００にリングスクリュー１００が取り付けられ、このリングスクリュー１００に引張部材８０が取り付けられ、この引張部材８０に引込線引留具７２が取り付けられる。この引込線引留具７２によって配電線から引き出された引込線７０の配線方向が変えられて、需要家の屋内に引込線７０が引き込まれる。
【０００３】
ここで、家屋の木材部２００にリングスクリュー１００を取り付ける際には、図８に示すように、引込線７０及び引込線引留具７２によってリングスクリュー１００に係る張力の方向に対してリングスクリュー１００の中心軸が直角になるように、リングスクリュー１００を家屋の木材部２００にねじ込むことが望ましい。これにより、引込線７０からの張力によってリングスクリュー１００が木材部２００から抜けにくくなる。
【０００４】
また、従来、この種の技術としては、特許文献１に記載された技術がある。特許文献１には、フック取付ネジに、山座金とフェルトパッキンとが設けられ、フック取付ネジのネジ部が建家の側壁にねじ込まれたとき、フェルトパッキンが山座金と側壁との間に挟持され、ネジ部のねじ込み箇所を覆うことによって、雨水が側壁の内部に進入することを防止する、という技術について記載されている。
【先行技術文献】
【特許文献】
【０００５】
【特許文献１】特開２０１２−２９５００号公報
【発明の概要】
【発明が解決しようとする課題】
【０００６】
しかしながら、家屋の構造や家屋周囲の引込線の敷設状況によっては、リングスクリューの中心軸に対して直角に引込線を敷設することができず、図９に示すように、リングスクリュー１００の中心軸が引込線７０による張力の方向に平行にならざる得ない場合がある。この場合、リングスクリュー１００の中心軸に沿って張力がかかるようになり、木材の経年劣化や腐食等によってリングスクリュー１００のスクリュー部分の周囲に隙間が生じてしまい、リングスクリュー１００が抜けてしまうおそれがある。
【０００７】
本発明は、このような問題点を解決し、リングスクリューに対して、リングスクリューの軸に沿って引っ張る方向に張力がかかった場合でも、リングスクリューが抜けないように補強することを実現したリングスクリューを提供することを目的とする。
【課題を解決するための手段】
【０００８】
前記目的を達成するため、本発明は、次に記載する構成を備えている。
【０００９】
（１）  木材にねじ込まれたリングスクリューの一部に係合させて前記木材に木ねじによって固定され、前記リングスクリューが前記木材から抜けないように補強するリングスクリュー補強金具であって、前記リングスクリューを挿入できる切り欠きを有する円板型の板状部材を備え、当該板状部材には、前記木ねじが挿入される複数のビス穴が、板状部材の中心に対して周方向に均等の位置に配置されて形成され、前記ビス穴は、前記木材にねじ込まれた前記リングスクリューの軸方向に対して、所定の角度を有する方向へ傾斜することを特徴とするリングスクリュー補強金具。
【００１０】
（１）によれば、ビス穴に木ねじを通し、この木ねじを木材にねじ込むことによってリングスクリュー補強金具を固定した場合に、木ねじが、木材内においてリングスクリューの中心軸に対して斜め方向に延びる。このため、リングスクリュー補強金具におけるリングスクリューの軸方向への張力に対する強度が高くなり、リングスクリューが軸方向に引っ張られた場合に抜けないように補強することができる。
【００１１】
（２）  （１）において、前記ビス穴は、前記板状部材を前記木材に対向する側から視認した場合に、前記板状部材の中心を向くように形成されていることを特徴とするリングスクリュー補強金具。
【００１２】
（２）によれば、木ねじを回転させる工具を使用する際に、リングスクリューが障害となって工具が使用できなくなるといった不具合を防止することができる。
【００１３】
（３）  （１）又は（２）において、前記ビス穴の傾斜角は、５５度以上６５度以下であることを特徴とするリングスクリュー補強金具。
【００１４】
（３）によれば、木ねじの先端がリングスクリューに当接して、木ねじがねじ込めなくなることを低減することができる。
【００１５】
（４）  （１）〜（３）において、前記ビス穴は、前記板状部材から立設する筒状部によって形成されることを特徴とするリングスクリュー補強金具。
【００１６】
（４）によれば、木ねじが筒状部によって斜め方向を向くようにガイドされるため、木ねじがリングスクリューの軸に対して斜めになるように、木ねじを木材にねじ込むことが容易に可能になる。
【発明の効果】
【００１７】
本発明によれば、リングスクリューに対してリングスクリューの中心軸に沿って引っ張る方向に張力がかかった場合でも、リングスクリューが抜けないように補強することを実現したリングスクリュー補強金具を提供することが可能になる。
【図面の簡単な説明】
【００１８】
【図１】本発明の一実施形態におけるリングスクリュー補強金具１の外観を示す斜視図である。
【図２】図１の平面図である。
【図３】図２のＡＡ線断面図である。
【図４】リングスクリュー補強金具１をリングスクリュー１００に取り付けた状態を示す斜視図である。
【図５】リングスクリュー１００の側面図である。
【図６】リングスクリュー補強金具１の取付方向を示す説明図である。
【図７】本発明の一実施形態におけるリングスクリュー補強金具１の変形例を示す平面図である。
【図８】リングスクリュー１００の取付状態の一例を示す説明図である。
【図９】リングスクリュー１００の取付状態の一例を示す説明図である。
【発明を実施するための形態】
【００１９】
以下、本発明の一実施形態について、図面を参照しながら詳細に説明する。
図１は、本発明の一実施形態におけるリングスクリュー補強金具１の外観を示す斜視図、図２は図１の平面図、図３は図２のＡＡ線断面図である。
リングスクリュー補強金具１は、図１、図２に示すように、円板型の板状部材１０に、ガイド部１２と、筒状部２０とを形成したものである。
【００２０】
板状部材１０は、金属板によって構成されている。ガイド部１２は、リングスクリュー１００（図４参照）を板状部材１０の中心に位置付けるようにガイドするものであり、切欠部１２ａと、凹部１２ｂとによって構成されている。切欠部１２ａは、板状部材１０の外周の一部から板状部材１０の中心に向かって直線状に切り欠くことによって形成される。凹部１２ｂは、切欠部１２ａの縁部に圧縮成形を施すことによって、切欠部１２ａの周囲を表面側に突出するように形成される。切欠部１２ａの幅は、リングスクリュー１００（図４参照）が挿入できる程度に設定されている。凹部１２ｂの大きさは、後述するリングスクリュー１００（図４参照）の中央部に形成されている係合部１００ｃ（図４参照）が適合する程度に設定されている。
【００２１】
筒状部２０は、中央部に木ねじ５０が挿入されるビス穴２０ａを中央部に同軸に備え、木ねじ５０が木材部２００（図４参照）に対して規定方向を向くようにガイドする円筒状の部材である。筒状部２０は、図２に示すように、板状部材１０の表面の外縁部における板状部材１０の中心を通る２本の対角線を有する正方形の４つの角に配置されている。すなわち、筒状部２０は、板状部材１０の中心に対して周方向に９０度ずつ均等の位置に形成されている。また、筒状部２０は、板状部材１０の中心側に向かって下り傾斜するように斜めに形成されており、リングスクリュー補強金具１を平面視した場合に、正方形の対角線に沿って傾斜している。本実施形態においては、ビス穴２０ａの中心軸と正方形の対角線との角度が６０度に設定されている。
【００２２】
また、ビス穴２０ａは、円柱型に形成されており、板状部材１０の裏面を貫通している貫通孔である。このため、４つのビス穴２０ａにそれぞれ木ねじ５０が挿入された場合、４つの木ねじ５０の先端は、板状部材１０の裏面から突出し、板状部材１０の中心を通りかつ板面に対して垂直な仮想線上の所定部位に向けられる。
【００２３】
図４は、リングスクリュー補強金具１をリングスクリュー１００に取り付けた状態を示す斜視図、図５は、図４のリングスクリュー補強金具１の断面を含むリングスクリュー１００の側面図である。
【００２４】
リングスクリュー１００は、頭部１００ａと、スクリュー部１００ｂと、係合部１００ｃとを備えたねじ部材である。頭部１００ａは、曲げ加工によってリング状に形成されている。スクリュー部１００ｂは、木材部２００に螺合する棒状部分であって先端が尖っており、側面にねじ山が形成されている。係合部１００ｃは、頭部１００ａとスクリュー部１００ｂとの境界部分に形成されている、頭部１００ａよりも太い円板体である。
【００２５】
リングスクリュー１００は、木材部２００に対してスクリュー部１００ｂの先端部を差し込み、軸方向に押し込みながら回転させることにより、図５に示すようにスクリュー部１００ｂが、係合部１００ｃが木材部２００に当接するまでねじ込まれる。リングスクリュー補強金具１は、リングスクリュー１００が木材部２００にねじ込まれた後に、木材部２００に固定される。
【００２６】
具体的には、まず、リングスクリュー補強金具１の切欠部１２ａを、リングスクリュー１００における係合部１００ｃの直上に挿入して、リングスクリュー１００を板状部材１０の中心に位置付け、係合部１００ｃを凹部１２ｂに適合させる。なお、リングスクリュー補強金具１は、図６に示すように、リングスクリュー１００に対して任意の方向から挿入することが可能である。そして、４箇所のビス穴２０ａにそれぞれ木ねじ５０を挿入して、木ねじ５０を木材部２００にねじ込む。これにより、リングスクリュー１００が、木材部２００から抜けないようにリングスクリュー補強金具１によって補強される。
【００２７】
ところで、リングスクリュー補強金具１を木材部２００に強固に固定するのであれば、比較的長い木ねじ５０を使用し、ビス穴２０ａの傾斜角は４５度であることが望ましい。しかしこの場合、木ねじ５０がリングスクリュー１００に当接して、それ以上深くねじ込めなくなるおそれがある。このため、ビス穴２０ａの傾斜角は、５５度以上６５度以下であることが望ましい。これにより、比較的長い木ねじ５０を使用しても木ねじ５０同士が衝突することが低減され、リングスクリュー補強金具１を木材部２００に強固に固定することが可能になる。
【００２８】
以上説明したように構成された本実施形態によれば、ビス穴２０ａに木ねじ５０を通し、この木ねじ５０を木材部２００にねじ込むことによってリングスクリュー補強金具１を固定した場合に、木ねじ５０が、木材部２００の内部においてリングスクリュー１００の中心軸に対して斜め方向に延びる。このため、リングスクリュー補強金具１におけるリングスクリュー１００の軸方向への張力に対する強度が高くなり、リングスクリュー１００が中心軸方向に引っ張られても抜けないように補強することができる。
【００２９】
また本実施形態によれば、ビス穴２０ａは、板状部材１０を木材部２００に対向する側（裏側）から視認した場合に、板状部材１０の中心を向くように形成されているため、木ねじ５０をビス穴２０ａに挿入した場合に木ねじ５０の頭部が板状部材１０の外側に向けられる。このため、リングスクリュー１００が障害となって木ねじ５０を回転させる工具が使用できなくなるといった不具合を防止することができる。
【００３０】
また本実施形態によれば、ビス穴２０ａの傾斜角は、５５度以上６５度以下であるため、木ねじ５０の先端がリングスクリュー１００に当接することを低減することができる。
【００３１】
また本実施形態によれば、板状部材１０から立設する筒状部２０の中央部にビス穴２０ａが形成されており、木ねじ５０が筒状部２０によって斜め方向を向くようにガイドされるため、木ねじ５０がリングスクリュー１００の軸に対して斜めになるように、木ねじ５０を木材部２００にねじ込むことが容易に可能になる。
【００３２】
以上、本発明の実施形態について説明したが、本発明の実施形態は上述したものに限るものではない。例えば、板状部材１０の裏面に、両面に粘着性を有するテープを予め貼着しておき、リングスクリュー１００にリングスクリュー補強金具１を挿入した後に、木材部２００にリングスクリュー補強金具１をテープによって仮固定するように構成してもよい。これにより、木ねじ５０によるリングスクリュー補強金具１の固定作業が行いやすくなる。
【００３３】
また、上述した実施形態によれば、板状部材１０を木材部２００に対向する側（裏側）から視認した場合に、ビス穴２０ａが板状部材１０の中心を向いているが、それに限らず、例えば、図７に示すように、ビス穴２０ａが板状部材１０の中心の右側にずれた方向に延びるようにしてもよい。これにより、ビス穴２０ａに木ねじ５０を通して木ねじ５０をねじ込んだ場合に、４本のビス穴２０ａが互いに交錯することが防止できる。これにより、比較的長い木ねじを使用することが可能になり、リングスクリュー１００が軸方向に引っ張られた場合に抜けないようにリングスクリュー補強金具１によって補強することができる。
【００３４】
また、上述した実施形態によれば、４本の筒状部２０が板状部材１０に形成されており、それぞれ正方形の角部に配置されているが、筒状部２０は、それよりも多くても少なくてもよい。この場合、正多角形の角部に筒状部２０が配置されることが望ましい。
【符号の説明】
【００３５】
１  リングスクリュー補強金具
１０  板状部材
１２  ガイド部
１２ａ  切欠部
１２ｂ  凹部
２０  筒状部
２０ａ  ビス穴
５０  木ねじ
７０  引込線
７２  引込線引留具
８０  引張部材
１００  リングスクリュー
１００ａ  頭部
１００ｂ  スクリュー部
１００ｃ  係合部
２００  木材部
【図１】
2014212600.tif 000003
【図２】
2014212600.tif 000004
【図３】
2014212600.tif 000005
【図４】
2014212600.tif 000006
【図５】
2014212600.tif 000007
【図６】
2014212600.tif 000008
【図７】
2014212600.tif 000009
【図８】
2014212600.tif 000010
【図９】
2014212600.tif 000011